(57)【特許請求の範囲】
【請求項１】
磁気テープを巻装した単一のリールがカートリッジケース内に回転可能に収容され、前記磁気テープの先端に該磁気テープを引き出すためのリーダピンが取り付けられてなる磁気テープカートリッジにおいて、
前記リーダピンの上下端部に対する前記カートリッジケースの上下ケースのそれぞれの内壁面に、前記リーダピンを着脱可能に保持する板バネが独立に取り付けられ、
前記板バネが、湾曲したバネ部と、該バネ部の一端に前記カートリッジケースの上下面と平行に折り曲げられて上下方向の弾性を有し、前記リーダピンを上下両端のフランジ状ヘッドの凸球面状端面に弾接して保持する平板状のリーダピン保持部と、前記バネ部の他端に延長され前記カートリッジケースの上下内壁面に形成された係止溝に挿入される被係止端部とよりなることを特徴とする磁気テープカートリッジ。
【発明の詳細な説明】
【０００１】
【発明の属する技術分野】
本発明は、主としてコンピュータメモリのバックアップとして用いられ磁気テープカートリッジに関し、特にカートリッジケース内に磁気テープを巻装した単一のリールが回転可能に収容され、この磁気テープの先端に該磁気テープを引き出すためのリーダピンが取り付けられてなる磁気テープカートリッジにおいて、上記カートリッジケースにおける上記リーダピンの保持構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られているこの磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダピン）が固着され、このリーダ部材をコンピュータ側で引き出して巻き取り又は巻き戻しを行うようにドライブ装置が構成される。そして、上記リーダ部材は、カートリッジケースに着脱可能に保持されるものであり、その保持にはバネ部材を使用するのが構造上の簡素化等の点で有利である。
【０００４】
【発明が解決しようとする課題】
しかしながら、リーダピンを着脱可能に保持するバネ部材をカートリッジケースに取り付ける場合には、一般にプラスチック製のケースの一部を溶融させて固定することが行われているが、このようなバネ部材の固定は組付け工程が煩雑で、生産性の向上の妨げとなっている。
【０００５】
本発明は上記点に鑑みなされたもので、簡単な構造でリーダピンをカートリッジケースに着脱可能に保持し得る磁気テープカートリッジを提供することを目的とするものである。
【０００６】
【課題を解決するための手段】
本発明は、磁気テープを巻装した単一のリールがカートリッジケース内に回転可能に収容され、前記磁気テープの先端に該磁気テープを引き出すためのリーダピンが取り付けられてなる磁気テープカートリッジにおいて、
前記リーダピンの上下端部に対する前記カートリッジケースの上下ケースのそれぞれの内壁面に、前記リーダピンを着脱可能に保持する板バネが独立に取り付けられ、
前記板バネが、湾曲したバネ部と、該バネ部の一端に前記カートリッジケースの上下面と平行に折り曲げられて上下方向の弾性を有し、前記リーダピンを上下両端のフランジ状ヘッドの凸球面状端面に弾接して保持する平板状のリーダピン保持部と、前記バネ部の他端に延長され前記カートリッジケースの上下内壁面に形成された係止溝に挿入される被係止端部とよりなることを特徴とするものである。
【０００７】
【発明の効果】
本発明によれば、極めて簡易な構成によって、リーダピンをカートリッジケースに着脱可能に保持することができ、かつカートリッジケースの組立て時の生産性も向上する。
【０００８】
【発明の実施の形態】
以下、図面に示す実施の形態に基づいて本発明を詳細に説明する。
【０００９】
図１は磁気テープカートリッジの分解斜視図である。
【００１０】
磁気テープカートリッジ１は、下リール５と上リール６とを超音波溶着により結合した単一のリール４に磁気テープ２０を巻装し、上ケース２と下ケース３とがビス等により締結されて形成されたカートリッジケース７内に、上記リール４を回動可能に収容して構成されている。
【００１１】
下リール５は、外周に磁気テープ２０が巻回される円筒状のリールハブ２３と、このリールハブ２３の下端外周から径方向に張り出したフランジ部２４とを合成樹脂により一体成型したもので、リールハブ２３の底部外面にリール４を回転駆動するマグネット式の回転駆動手段を接合させるためのリールプレート８が取り付けられる。またリールハブ２３の底部内面には、ブレーキボタン９に形成された制止用ギア９Ａと係合して不使用時のリール４の回転を拘束する制止用ギア２３Ａが刻設されている。さらにリールハブ２３には、磁気テープカートリッジ１を使用する外部記憶装置等の記録再生装置に設けられたドライブ解除スピンドルが挿通されてブレーキボタン９を上方へ移動させるための開口２３Ｂが形成されている。
【００１２】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが噛み合って不使用時におけるリール４の回転が防止されるようになっている。一方、カートリッジ使用時は、磁気テープ装置のドライブ解除スピンドルがブレーキボタン９を押圧すると、ブレーキボタン９がコイルバネ１０の付勢力に抗して図の上方へ移動し、これにより制止用ギア９Ａ，２３Ａの係合が解除され、リール４が回転自在とされる。
【００１３】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は図示しないバネにより、開口部２６を閉じる方向に付勢されている。
【００１４】
また、磁気テープカートリッジ１はその不使用時に磁気テープ２０が完全にリール４に巻き込まれた状態で、磁気テープ２０の端部に取り付けられたリーダピン２１が開口部２６の近傍に設置された後述の保持構造によって着脱自在に係止される。
【００１５】
そして、磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされるとともに、マグネット式の回転駆動手段はリールプレート８を介して磁力によってリール４を非接触で回転する。これとともに、スライドドア２７が開かれてリーダピン２１がテープ走行路の所定位置に引き込まれ、磁気テープ２０へのデータの読み書きが可能となる。
【００１６】
上記リーダピン２１は、磁気テープカートリッジ１を使用する記録再生装置が磁気テープ２０を装置内のテープ走行路に導入するために保持して引き込むものであり、このリーダピン２１を着脱可能に保持するための弾性構造が上ケース２および下ケース３に設けられている。
【００１７】
図２〜図６は参考例を示すものであり、バネ部材３０によるリーダピン２１の保持構造以外のケース構造、リーダピン構造を示し、図２は断面平面図、図３は図２の III−III 線に沿った断面図、図４は図２のIV−IV線に沿った断面図、図５は下ケース３における断面平面図、図６はリーダピン２１がカートリッジケース７の開口部２６から凹部２８内に挿入される状態を示す断面平面図である。
【００１８】
リーダピン２１は、図３に示すように、磁気テープ２０の先端部が固着される中央軸部２１ａの両側に記録再生装置側から係合保持される細軸部２１ｂ，２１ｂを備え、その上下両端部に、リーダピン２１をカートリッジケース７に係合保持するためのフランジ状ヘッド２１ｃ、２１ｃが形成されている。各フランジ状ヘッド２１ｃは、上述のように、開口部２６近傍の上ケース２の下面および下ケース３の上面にそれぞれ形成された参考例としての凹部２８にそれぞれ挿入されるとともに、各凹部２８内に装着された参考例としてのバネ部材３０によって両フランジ状ヘッド２１ｃ，２１ｃが着脱可能に保持されるようになっている。
【００１９】
バネ部材３０は、図５から明らかなように、リーダピン２１のフランジ状ヘッド２１ｃをその開口部３０ｃ側から内部に受容して弾性的に保持するＣ字状の保持部３０ａと、保持部３０ａの開口部３０ｃ側とは反対側に連接された二股状の係着部３０ｂとを備えている。開口部３０ｃはリーダピン２１のフランジ状ヘッド２１の直径よりも幅狭に形成されている。
【００２０】
一方、凹部２８は、バネ部材３０の保持部３０ａを変位可能に収容すべく保持部３０ａの外縁に対して所定のクリアランスを有する幅広部２８ａと、この幅広部２８ａの奥に連接されて、バネ部材３０の二股状の係着部３０ｂを互いに接近する方向に両側から圧縮した状態で保持する幅狭部２８ｂとからなり、バネ部材３０は、その係着部３０ｂが上記幅狭部２８ｂに弾性的に嵌着された状態で、凹部２８に取り付けられている。
【００２１】
以上の構成において、図６に示すように、リーダピン２１がカートリッジケース７の開口部２６から凹部２８内に挿入されると、リーダピン２１のフランジ状ヘッド２１ｃによって、バネ部材３０の保持部３０ａがその開口部３０ｃが開く方向に弾性的に変形して、フランジ状ヘッド２１ｃの開口部３０ｃの通過が許容され、図２に示すように、フランジ状ヘッド２１ｃが保持部３０ａによって弾性的に保持され、リーダピン２１が所定位置に固定される。
【００２２】
次に、磁気テープカートリッジ１が対応する外部記録装置等の記録再生装置にセットされ、リーダピン２１の細軸部２１ｂ，２１ｂが記録再生装置側から係合保持されてリーダピン２１がカートリッジケース７内から磁気テープ２０を伴って引き出される場合には、フランジ状ヘッド２１ｃによってバネ部材３０の保持部３０ａが弾性的に変形して、フランジ状ヘッド２１ｃの開口部３０ｃの通過が許容され、リーダピン２１が記録再生装置内に引き込まれる。
【００２３】
このように、本参考例においては、バネ部材３０の二股状の係着部３０ｂを凹部２８の幅狭部２８ｂに弾性的に嵌着するだけで、バネ部材３０が上ケース２の下面および下ケース３の上面に取り付けることができるから、カートリッジケース７に対するバネ部材３０の取付けが極めて容易であり、かつ極めて簡単な構成でありながら、リーダピン２１をカートリッジケース７内の所定位置に確実に、かつ着脱自在に保持することができる。
【００２４】
次に図７および図８（ａ），（ｂ）は他の参考例を示すものであり、図７は要部断面図、図８（ａ）はその皿バネの平面図、図８（ｂ）は皿バネの断面図である。
【００２５】
図８（ａ），（ｂ）に示す参考例の皿バネ３１は、リーダピン２１のフランジ状ヘッド２１ｃの外径よりも若干大きい直径を有する円形の皿部３１ａと、この皿部３１ａの周縁を繞って一体に垂設された所定の高さを有する環状脚部３１ｂとよりなり、皿部３１ａには中心孔３１ｃと、この中心孔３１ｃから放射状に延びる８本の溝３１ｄとによって、溝３１ｄ，３１ｄ間の部分にバネ性が付与されている。そしてこのような構成を有する皿バネ３１は、カートリッジケース７の上下ケース２，３の内壁面（図７の場合は下ケース３の内壁面）に形成された凹部３２内にその環状脚部３１ｂを圧入されてカートリッジケース７の上下にそれぞれ装着される。
【００２６】
一方、リーダピン２１のフランジ状ヘッド２１ｃの端面２１ｄは、凸球面状に形成され、リーダピン２１がカートリッジケース７に装着されると、図７に示すように、皿バネ３１の皿部３１ａがフランジ状ヘッド２１ｃの端面２１ｄに沿って撓まされて、端面２１ｄ上に弾接し、これによって、リーダピン２１は弾性的に保持することになる。皿バネ３１は、カートリッジケース７の上ケース２および下ケース３の双方に独立して設けられる。
【００２７】
本参考例においても、皿バネ３１をカートリッジケース７の凹部３２に圧入するだけでカートリッジケース７に取り付けることができるから、カートリッジケース７に対する皿バネ３１の取付けが極めて容易であり、かつ極めて簡単な構成でありながら、リーダピン２１をカートリッジケース７内の所定位置に確実に、かつ着脱自在に保持することができる。
【００２８】
図９および図１０は、本発明のリーダピンの保持構造の実施の形態を示す一部を断面とした要部側面図および一部を断面とした平面図で、図１１はここで用いられる板バネの展開図、図１２は板バネの斜視図である。
【００２９】
板バネ３３は、Ｕ字状に湾曲したバネ部３３ａの一端に、このバネ部３３ａからほぼ直角にケース上下面と平行に折り曲げられた平板状のリーダピン保持部３３ｂを備え、このリーダピン保持部３３ｂの中央には、リーダピン２１のフランジ状ヘッド２１ｃの凸球面状端面２１ｄを受ける凹部３３ｃないし孔が形成されている。
【００３０】
また、バネ部３３ａの他端も折り曲げられて延長され、この板バネ３３をカートリッジケース７に取り付けるための被係止端部３３ｄを構成している。
【００３１】
一方、カートリッジケース７の上下ケース２，３の内壁面（図１０の場合は下ケース３の内壁面）には、図１０に示すように、板バネ３３係止用の壁部３４が例えばケース３の側壁面に近接して設けられている。そして、ケース３の側壁面に突設された係止突起３ａと、壁部３４のケース３に対向する面上において係止突起３ａの両側位置に突設された係止突起３４ａ，３４ｂとによって、板バネ３３の被係止端部３３ｄを係止し得る係止溝３５が上下にそれぞれ形成されている。
【００３２】
このような構成によって、板バネ３３は、その被係止端部３３ｄを係止溝３５に挿入するだけでカートリッジケース７に取り付けられ、図９の上下方向にも弾性を有する。したがって、リーダピン２１がカートリッジケース７に装着されると、図９に示すように、板バネ３３のリーダピン保持部３３ｂがフランジ状ヘッド２１ｃの端面２１ｄ上に弾接し、これによって、リーダピン２１は弾性的に所定位置に保持されることになる。板バネ３３は、カートリッジケース７の上ケース２および下ケース３の双方に独立して取り付けられる。
【００３３】
本実施の形態においては、板バネ３３の被係止端部３３ｄをカートリッジケース７の係止溝３５に挿入するだけでカートリッジケース７に取り付けることができるから、カートリッジケース７に対する板バネ３３の取付けが極めて容易であり、かつ極めて簡単な構成でありながら、リーダピン２１をカートリッジケース７内の所定位置に確実に、かつ着脱自在に保持することができる。
【図面の簡単な説明】
【図１】  磁気テープカートリッジの分解斜視図
【図２】  リーダピンの保持構造の参考例を示す断面平面図
【図３】  図２の III−III 線に沿った断面図
【図４】  図２のIV−IV線に沿った断面図
【図５】  図２に示すバネ部材の組付け構造を示す断面平面図
【図６】  リーダピンがカートリッジケースの開口部から凹部内に挿入される状態を示す断面平面図
【図７】  リーダピンの保持構造の他の参考例を示す要部断面図
【図８】  図７に示す皿バネの平面図および断面図
【図９】  本発明のリーダピンの保持構造の実施の形態を示す一部を断面とした要部側面図
【図１０】  図９のリーダピンの保持構造の一部を断面とした平面図
【図１１】  図９，図１０に示す板バネの展開図
【図１２】    図９，図１０に示す板バネの斜視図
【符号の説明】
１    磁気テープカートリッジ
２    上ケース
３    下ケース
４    リール
７    カートリッジケース
２０    磁気テープ
２１    リーダピン
２１ｃ    フランジ状ヘッド
２６    開口部
２７    スライドドア
３３    板バネ
【図１】
0004091162.tif 000002
【図２】
0004091162.tif 000003
【図３】
0004091162.tif 000004
【図４】
0004091162.tif 000005
【図５】
0004091162.tif 000006
【図６】
0004091162.tif 000007
【図７】
0004091162.tif 000008
【図８】
0004091162.tif 000009
【図９】
0004091162.tif 000010
【図１０】
0004091162.tif 000011
【図１１】
0004091162.tif 000012
【図１２】
0004091162.tif 000013